(57)【要約】【課題】容易に組み立てすることが可能で、且つ長期にわたって好適な空間を形成できる簡易ハウスを提供する。【解決手段】段ボール製の壁材１と、平板状の天板部２ａ及び該天板部２ａの外周から直角下方に折れ曲がって前記壁材１に嵌合固定される嵌合固定部２ｂからなる段ボール製の屋根材２とを備え、隣り合う材同士をワンタッチジョイント４で固着して形成する。【選択図】図１
2020105830.tif 000002
【特許請求の範囲】
【請求項１】
段ボール製の壁材と、
平板状の天板部及び該天板部の外周から直角下方に折れ曲がって外周の前記壁材に嵌合固定される嵌合固定部からなる段ボール製の屋根材と、を備え、
隣り合う材同士をワンタッチジョイントで固着して形成されていることを特徴とする簡易ハウス。
【請求項２】
前記壁材および前記屋根材は、前記段ボールを不織布で挟んだ積層構造体であることを特徴とする請求項１に記載の簡易ハウス。
【請求項３】
前記不織布は、パルプを含有していることを特徴とする請求項２に記載の簡易ハウス。
【発明の詳細な説明】
【技術分野】
【０００１】
本発明は、災害時の避難所のプライベート空間、建設現場における恒温室、事務室などに仮設として適用可能な簡易ハウスに関する。
【背景技術】
【０００２】
地震や台風などの災害時には、体育館や公民館などが避難所として利用され、比較的広いスペースで多くの避難者が生活することになる。また、このような被災地域での避難生活では、避難者のプライバシーを保護し、避難者の負担を低減するために組み立て式の簡易ハウスが求められる（例えば、特許文献１参照）。
【０００３】
また、一般の建設現場では、コンクリートの品質管理用の試験体を長期間保管するための恒温室や事務作業を行うための事務室、資機材を保管するための倉庫などとして簡易ハウスを設けるケースが多い。
【先行技術文献】
【特許文献】
【０００４】
【特許文献１】特開２０１５−５５１３６号公報
【発明の概要】
【発明が解決しようとする課題】
【０００５】
しかしながら、従来の簡易ハウスは、組み立てに工具が必要であったり、その組み立てに多くの時間や労力を要するなどの不都合があるものが多い。また、隙間が生じたり、断熱性、音漏れなどの密閉性能が不十分なものが多い。
【０００６】
このため、上記のような不都合を解消でき、容易に組み立てすることが可能で、且つ長期にわたって好適な空間を形成できる簡易ハウスが強く望まれている。
【０００７】
本発明は、上記事情に鑑み、容易に組み立てすることが可能で、且つ長期にわたって好適な空間を形成できる簡易ハウスを提供することを目的とする。
【課題を解決するための手段】
【０００８】
上記の目的を達するために、この発明は以下の手段を提供している。
【０００９】
本発明に係る簡易ハウスは、段ボール製の壁材と、平板状の天板部及び該天板部の外周から直角下方に折れ曲がって外周の前記壁材に嵌合固定される嵌合固定部からなる段ボール製の屋根材とを備え、隣り合う材同士をワンタッチジョイントで固着して形成されていることを特徴とする。
【００１０】
また、本発明の簡易ハウスにおいては、前記壁材および前記屋根材が、前記段ボールを不織布で挟んだ積層構造体であってもよい。
【００１１】
さらに、本発明の簡易ハウスにおいては、前記不織布が、パルプを含有していてもよい。
【発明の効果】
【００１２】
本発明の簡易ハウスにおいては、隙間のない、断熱性に優れた簡易ハウスを容易に製作することができる。また、フタ状の段ボールを用いることで、折りたたんで収納することができ、運搬、保管が容易で占有スペースを省スペース化することができる。さらに、現場での利用のほか、災害時にも適用できる。また、使用後は、リサイクル可能であり、廃棄費用を不要にできる。
【００１３】
よって、本発明の簡易ハウスによれば、容易に組み立てすることが可能で、且つ長期にわたって好適な空間を形成可能な簡易ハウスを実現することができる。
【図面の簡単な説明】
【００１４】
【図１】本発明の一実施形態に係る簡易ハウスの一例を示す斜視図である。
【図２】本発明の一実施形態に係る簡易ハウスの一例を示す斜視図である。
【図３】本発明の一実施形態に係る簡易ハウスを分解したときの壁材（および内部屋材）を示す図である。
【図４】本発明の一実施形態に係る簡易ハウスを分解したときの屋根材（および補強材）を示す図である。
【図５】図４（ａ）のＸ−Ｘ線に沿う断面図である。
【発明を実施するための形態】
【００１５】
以下、図１から図５を参照し、本発明の一実施形態に係る簡易ハウスについて説明する。
【００１６】
本実施形態の簡易ハウスＡは、図１から図５に示すように、段ボール製の壁材１と屋根材２とを組み合わせて形成される。
【００１７】
なお、段ボール製の壁材１や屋根材２は、２層、３層の平板状の段ボールを用いて形成すれば、風雨・湿潤下でも１年程度の耐久性を確保できることが実験で確認されている。具体的には、図５に示すように、本実施形態の壁材１および屋根材２は、段ボール６をパルプ不織布７，７で挟んだ積層構造になっている。段ボール６には、三層段ボールを用いることが好ましい。このように積層構造で構成された壁材１および屋根材２は、吸音・遮音効果に優れているとともに、断熱性能も優れている。また、壁材１および屋根材２は、再利用できなくなった際に、可燃物として廃棄処理も可能である。
【００１８】
図３に示すように、本実施形態では、壁材１は、図３（ａ）〜（ｉ）までの異なる９種類の形状のもので構成されている。また、壁材１で簡易ハウスＡの外周壁が構築され、その内部には、図３（ｊ）〜（ｌ）の３種類の内部屋材５が用いられて、内部に間仕切りが形成されている。壁材１と内部屋材５とで簡易ハウスの間取りの自由度を向上させることができる。なお、内部屋材５も壁材１と同様の段ボールの積層構造体として構成されている。
【００１９】
また、屋根材２は、壁材１によって外壁、内部の仕切りなどを形成したハウスの上部開口を閉塞するように設置され、ハウスの上部開口を閉塞する平板状の天板部２ａと、天板部２ａの外周辺部から直角下方に折り曲げられ、ハウスの外周を形成する壁材１の上端に面接触するように係合して配設される嵌合固定部２ｂとを備えて形成されている。図４に示すように、本実施形態では、屋根材２は、図４（ａ）〜（ｇ）までの異なる７種類の形状のもので構成されている。また、屋根材２同士の連結箇所には、図４（ｈ）〜（ｉ）の２種類の補強材３が配設されている。
【００２０】
そして、本実施形態の簡易ハウスＡは、例えば、隣り合う壁材１の端部同士、隣り合う壁材１と屋根材２の嵌合固定部２ｂ、隣り合う屋根材２の端部同士など、接合が必要な箇所を必要に応じて補強材（添え板材）３を用い、ワンタッチジョイント４で固定／接合し、ハウスとして所定の強度を確保して形状を保持できるように構成されている。
【００２１】
ワンタッチジョイント４は、例えば、軸部と軸部の後端に一体に取り付けられた略円盤状の頭部とからなる縫い部材と、縫い部材の軸部に取付可能な定着部材とを備えて構成されている。
【００２２】
このワンタッチジョイント４で段ボール製の部材同士を接合する際には、隣り合う段ボール製の部材同士を重ね合わせ、この重ね合わせ部に対し、一方の部材の表面から軸部を他方の部材の裏面まで貫通させ、他方の部材の裏面から突出する軸部の先端側部分に定着部材を取り付ける。
【００２３】
これにより、一方の部材の表面に縫い部材の頭部が係止され、他方の部材の裏面に定着部材が係止され、縫い部材の軸部が引き抜けなくなることで、隣り合う段ボール製の部材同士を固着することができる。
【００２４】
なお、定着部材をワンタッチで縫い部材の軸部に取り付け、取り外し可能に構成すれば、簡易ハウスの組立て、撤去を容易に行うことが可能になる。なお、ワンタッチジョイント４としては、例えばエムネジを用いてもよい。
【００２５】
また、壁材１、屋根材２、および内部屋材５の単体を作製するには、パルプ不織布７で段ボール６の両面を挟持した状態でワンタッチジョイント４を用いて積層構造体を容易に作ることができる。つまり、壁材１、屋根材２、および内部屋材５は、施工現場においても簡単に作製することができる。なお、段ボール６を両面から挟む部材（被覆部材）については、高い吸音性能を有するものであればパルプ不織布７でなくてもよい。その際、段ボール６と被覆部材とが接着剤や糊などで接着できる場合は、ワンタッチジョイント４を用いなくてもよい。
【００２６】
さらに、壁材１、屋根材２、および内部屋材５の段ボール６として三層段ボールを採用することにより、一層や二層の段ボールと比較して強度が高く、遮音性にも優れている。
また、パルプを含有したパルプ不織布７を採用することにより、吸音性に優れ、可燃物として廃棄可能である。
【００２７】
したがって、上記構成からなる本実施形態の簡易ハウスＡにおいては、フタ状の屋根材２、壁材１の段ボール（積層構造体）を組み合わせることで、小屋ハウスとしての強度・剛性を確保することができる。また、組み立てにワンタッチジョイント４を使用し、部屋内部などから工具を用いることなく簡単に組立て作業を行うことができる。
【００２８】
また、屋根材２と壁材１を組み付けて空間を作ることで、隙間がなく、断熱性能に優れた簡易ハウスＡを容易に製作することができる。
【００２９】
また、段ボールを用いることで、折りたたんで収納することができ、運搬、保管が容易で占有スペースを省スペース化することができる。さらに、現場での利用のほか、災害時にも適用できる。また、使用後は、リサイクル可能であり、廃棄費用を不要にできる。
【００３０】
よって、本実施形態の簡易ハウスＡによれば、容易に組み立てすることが可能で、且つ長期にわたって好適な空間を形成可能な簡易ハウスＡを実現することができる。
【００３１】
以上、本発明に係る簡易ハウスの一実施形態について説明したが、本発明は上記の実施形態に限定されるものではなく、その趣旨を逸脱しない範囲で適宜変更可能である。
【符号の説明】
【００３２】
１    壁材
２    屋根材
２ａ  天板部
２ｂ  嵌合固定部
３    補強材
４    ワンタッチジョイント
６    段ボール
７    パルプ不織布（不織布）
Ａ    簡易ハウス
【図１】
2020105830.tif 000003
【図２】
2020105830.tif 000004
【図３】
2020105830.tif 000005
【図４】
2020105830.tif 000006
【図５】
2020105830.tif 000007